(57)【要約】【解決手段】マルチモードデバイスにおける電力消費量を低減する方法が開示される。マルチモードデバイスは、ＣＯＭＭ１コンポーネントおよびＣＯＭＭ２コンポーネントを含む。一つの局面では、ＣＯＭＭ１コンポーネントがＵＷＢコンポーネントとなり、ＣＯＭＭ２コンポーネントはＣＤＭＡコンポーネントとなるかもしれない。開示された実施例において、ＣＯＭＭ１モジュールにより実行する次のスケジュールされたＣＯＭＭ１ウェークアッププロセスの時間が設定される。その後、次のＣＯＭＭ１ウェークアッププロセスが、次のＣＯＭＭ２ウェークアッププロセスの前に実行されるようにスケジュールされた場合、ＣＯＭＭ２ウェークアッププロセスが次のＣＯＭＭ１ウェークアッププロセスと同時にＣＯＭＭ２モジュールにより実行されるように同期される。次に、ＣＯＭＭ１モジュールが次のＣＯＭＭ１ウェークアッププロセスを実行する時間になると、ＣＯＭＭ２モジュールもＣＯＭＭ２ウェークアッププロセスを実行する。【選択図】      図３
2007512781.tif 000002
【特許請求の範囲】
【請求項１】
無線携帯ユニットにおいて、第１の通信モジュールのウェークアップスケジュールと、第２の通信モジュールのウェークアップスケジュールとを同期させる方法であって、
次の第１の通信ウェークアップ時間を定めることと、
前記次の第１の通信ウェークアップ時間が、次の第２のウェークアップ時間より早い場合、新たな第２のウェークアップ時間を前記次の第１の通信ウェークアップ時間に同期させることと
を含む方法。
【請求項２】
無線携帯ユニットにおいて、超広帯域（ＵＷＢ：Ultra-wideband）モジュールのウェークアップスケジュールと、通信モジュールのウェークアップスケジュールとを同期させる方法であって、
次の通信ウェークアップ時間を定めることと、
前記次の通信ウェークアップ時間が次のＵＷＢウェークアップ時間より早い場合、新たなＵＷＢウェークアップ時間を、前記次の通信ウェークアップ時間に同期させることと
を含む方法。
【請求項３】
前記定めるステップの後であって前記同期させるステップの前に、前記次のＵＷＢウェークアップ時間を確立するステップを更に含む請求項２に記載の方法。
【請求項４】
現在の通信時間を定めることと、
現在のＵＷＢ時間を定めることと
を更に含む請求項２に記載の方法。
【請求項５】
通信間隔を定めるステップを更に含み、前記通信間隔は、前記次の通信ウェークアップ時間から前記現在の通信時間を引いた結果と等しい請求項４に記載の方法。
【請求項６】
前記現在のＵＷＢ時間に前記通信間隔を足した結果が、前記次のＵＷＢ時間より小さい場合、前記新たなＵＷＢウェークアップ時間を前記次の通信ウェークアップ時間に同期させるステップを更に含む請求項５に記載の方法。
【請求項７】
実質的に前記新たなＵＷＢウェークアップ時間に、ＵＷＢウェークアッププロセスおよび通信ウェークアッププロセスを実行するステップを更に含む、請求項２に記載の方法。
【請求項８】
前記実行するステップは、前記無線携帯ユニットの電力消費量を低減するために、前記ＵＷＢモジュールおよび前記通信モジュールの電源を実質的に同時に入れるステップを含む請求項７に記載の方法。
【請求項９】
無線携帯ユニットにおいて、ＵＷＢモジュールのウェークアップスケジュールと通信モジュールのウェークアップスケジュールとを同期させる方法であって、
現在の通信時間および現在のＵＷＢ時間を定めることと、
通信間隔を計算することであって、前記通信間隔は、次の通信ウェークアップ時間から前記現在の通信時間を引いた結果と等しいことと、
前記現在のＵＷＢ時間に前記通信間隔を加えた結果が、次のＵＷＢ時間より小さい場合、新たなＵＷＢウェークアップ時間を、前記次の通信ウェークアップ時間に同期させることと
を含む方法。
【請求項１０】
前記通信時間間隔を計算するステップの前に、前記次の通信ウェークアップ時間を確立することと、
前記新たなＵＷＢ時間を同期させる前記ステップの前に、前記次のＵＷＢウェークアップ時間を確立することと
の各ステップを更に含む請求項９に記載の方法。
【請求項１１】
実質的に前記新たなＵＷＢウェークアップ時間に、ＵＷＢウェークアッププロセスおよび通信ウェークアッププロセスを実行するステップを更に含む請求項９に記載の方法。
【請求項１２】
前記実行するステップが、前記無線携帯ユニットの電力消費量を低減するために、前記ＵＷＢモジュールおよび前記通信モジュールの電源を実質的に同時に入れるステップを含む請求項１１に記載の方法。
【請求項１３】
前記無線携帯ユニットが、ＵＷＢ対応通信携帯電話を含む請求項９に記載の方法。
【請求項１４】
無線携帯ユニットであって、
次の通信ウェークアップ時間に通信ウェークアッププロセスを実行するよう構成された通信モジュールと、
前記次の通信ウェークアップ時間が次のＵＷＢウェークアップ時間より早い場合、新たなＵＷＢウェークアップ時間を前記次のウェークアップ時間に同期させるよう構成されたプロセッサと
を備えた無線携帯ユニット。
【請求項１５】
ＵＷＢウェークアッププロセスを実行するよう構成されたＵＷＢモジュールを更に備えた請求項１４に記載の無線携帯ユニット。
【請求項１６】
前記ＵＷＢモジュールが、前記次の通信ウェークアップ時間が前記次のＵＷＢウェークアップ時間より早い場合、前記新たなＵＷＢウェークアップ時間において、前記ＵＷＢウェークアッププロセスを実行するよう構成された、請求項１５に記載の無線携帯ユニット。
【請求項１７】
前記通信モジュールが、通信送信機／受信機および通信アンテナを備え、前記通信送信機／受信機および通信アンテナは、前記通信モジュールを基地局に同期させるように、前記基地局からのパイロット信号を受信するように構成された請求項１４に記載の無線携帯ユニット。
【請求項１８】
前記通信モジュールが、前記パイロット信号から現在の通信時間を導出するように更に構成された請求項１７に記載の無線携帯ユニット。
【請求項１９】
前記ＵＷＢモジュールがクロックを備え、前記クロックは現在のＵＷＢ時間を追跡するように構成された請求項１８に記載の無線携帯ユニット。
【請求項２０】
前記プロセッサが、通信間隔を計算するよう更に構成され、前記通信間隔は、次の通信ウェークアップ時間から前記現在の通信時間を引いた結果と等しい請求項１９に記載の無線携帯ユニット。
【請求項２１】
前記プロセッサが、前記現在のＵＷＢ時間に前記通信間隔を加えた結果が、前記次のＵＷＢ時間より小さい場合、前記新たなＵＷＢウェークアップ時間を前記次の通信ウェークアップ時間に同期させるよう構成された、請求項２０に記載の無線携帯ユニット。
【請求項２２】
前記通信モジュールが、実質的に新規ＵＷＢウェークアップ時間に前記通信ウェークアッププロセスを実行し、前記ＵＷＢモジュールが前記ＵＷＢウェークアッププロセスを実行する、請求項１５に記載の無線携帯ユニット。
【請求項２３】
前記通信モジュールおよび前記ＵＷＢモジュールが、前記無線携帯ユニットの電力消費量を低減するために、実質的に同時に電源を入れるよう構成された請求項２２に記載の無線携帯ユニット。
【請求項２４】
前記無線携帯ユニットがＵＷＢ対応通信携帯電話である請求項１４の無線携帯ユニット。
【請求項２５】
無線ユニットであって、
次の通信ウェークアップ時間において通信ウェークアッププロセスを実行する手段と、
前記次の通信ウェークアップ時間が次のＵＷＢウェークアップ時間より早い場合、新たなＵＷＢウェークアップ時間を、前記次の通信ウェークアップ時間に同期させる手段と
を備えた無線ユニット。
【請求項２６】
無線ユニットであって、
メモリ手段と、
次の通信ウェークアップ時間において通信ウェークアッププロセスを実行し、前記次の通信ウェークアップ時間が次のＵＷＢウェークアップ時間より早い場合、新たなＵＷＢウェークアップ時間を前記次の通信ウェークアップ時間に同期させる手段と
を備えた無線ユニット。
【請求項２７】
デジタル信号処理装置であって、
デジタルデータを格納するためのメモリ手段と、
次の通信ウェークアップ時間を定め、前記次の通信ウェークアップ時間が、次のＵＷＢウェークアップ時間より早い場合、新たなＵＷＢウェークアップ時間を前記次の通信ウェークアップ時間に同期させることによって、デジタル信号を解釈し、無線携帯ユニットのＵＷＢモジュールのウェークアップスケジュールと通信モジュールのウェークアップスケジュールとを同期させるデジタル信号処理手段と
を備えたデジタル信号処理装置。
【請求項２８】
前記デジタル信号処理手段は、前記次の通信ウェークアップ時間を定めることの後であって前記新たなＵＷＢウェークアップ時間を同期させることの前に、更にデジタル信号を解釈し、前記次のＵＷＢウェークアップ時間を確立する請求項２７に記載の装置。
【発明の詳細な説明】
【技術分野】
【０００１】
本発明は、一般に無線通信デバイスやシステムに関し、特に無線マルチモード通信デバイスにおける電力消費量の低減に関する。
【背景技術】
【０００２】
通信分野には、例えばポケベル、無線ローカルループ、インターネット電話、衛星通信システムなど、多くの応用がある。典型的な応用は、モバイル加入者のための携帯電話システムである。（ここで用いる用語「携帯」システムは、携帯およびパーソナル通信サービス（ＰＣＳ）の両方のシステム周波数を含む。）そのような携帯システムに対して、複数のユーザが共通通信媒体にアクセスできるように設計された現代の通信システムが開発された。これらの現代通信システムは、符号分割多重アクセス（ＣＤＭＡ）、時分割同期符号分割多重アクセス（ＴＤ−ＳＣＤＭＡ）、時分割多重アクセス（ＴＤＭＡ）、周波数分割多重アクセス（ＦＤＭＡ）、空間分割多重アクセス、有極分割多重アクセス（ＰＤＭＡ）、またはその他の従来知られている変調技術に基づく。これらの変調技術は、通信システムの複数のユーザから受信した信号を復調し、それにより通信システムのキャパシティの増加を可能にする。それに関連して、高度携帯電話サービス（ＡＭＰＳ）、携帯通信用グローバルシステム（ＧＳＭ）、およびその他の無線システムなど、様々な無線システムが確立されている。その他の無線システムは、超広帯域（ＵＷＢ）システムを含む。
【０００３】
ＵＷＢ技術は非常に広い帯域上で高速通信を提供する。同時に、ＵＷＢ信号は電力をごく僅かしか消費しない非常に短いパルスとして送信される。ＵＷＢ信号の出力電力は、他のＲＦ技術には雑音のように見える程低く、干渉は少なくなる。
【０００４】
携帯電話、パーソナルデジタルアシスタント（ＰＤＡ）またはノートパソコンなど、様々なデバイスをＵＷＢ対応とすることができる。そのようなデバイス毎に、受信機および送信機を含めてＵＷＢコンポーネントが備えられ、それにより、近くに同様に備えられた他のデバイスと、ケーブルや他の物理的な接続なしで通信できるようになる。
【０００５】
例として、無線符号分割多重アクセス（ＣＤＭＡ）携帯電話をＵＷＢ対応とすることができるが、これはＣＤＭＡネットワークおよびＵＷＢネットワークの両方とも通信できることを意味する。そのようなＵＷＢ対応のＣＤＭＡ携帯電話は、ＵＷＢおよびＣＤＭＡの両方のコンポーネントを含む場合がある。
【０００６】
ＵＷＢ対応デバイスはＣＤＭＡ以外の無線ネットワークと通信するように構成され得る。したがって、ＵＷＢ対応デバイスは、ＧＳＭ、ＧＰＲＳ、Ｗ−ＣＤＭＡまたはその他の従来知られているネットワークと通信するように構成され得る。
【０００７】
ＵＷＢ対応デバイスは、複数の異種のネットワークと通信するように構成され得る。したがって、ＵＷＢ対応デバイスはＵＷＢネットワークに加えて、ＣＤＭＡおよびＧＳＭネットワークと通信するように構成され得る。
【０００８】
無駄となるまたは過度の電力消費量は、デバイスの動作に障害を与え、利用性を低下させる可能性があるため、無線デバイスにおいて課題となっている。複数のネットワークと通信するために必要な複数のコンポーネントにより電力が消費されるため、無駄となるまたは過度の電力消費量は、特にマルチモードのＵＷＢデバイスにおいて課題となっている。
【０００９】
したがって、従来技術には、ＵＷＢ対応のＣＤＭＡ携帯電話などのＵＷＢ対応デバイスの様々なコンポーネントにより消費される電力量を低減する方法および関連するシステムが必要である。
【特許文献１】米国特許４，９０１，３０７
【特許文献２】米国特許５，１０３，４５９
【特許文献３】米国出願番号０８／９６３，３８６
【発明の開示】
【００１０】
本出願は、同時係属中の２００１年８月１５日出願の米国出願番号０９／９３０，７５９「ブルートゥースおよびＣＤＭＡ動作モードにおける電力消費量を低減する方法（Ｍｅｔｈｏｄ  ｆｏｒ  Ｒｅｄｕｃｉｎｇ  Ｐｏｗｅｒ  Ｃｏｎｓｕｍｐｔｉｏｎ  ｉｎ  Ｂｌｕｅｔｏｏｔｈ  ａｎｄ  ＣＤＭＡ  Ｍｏｄｅｓ  ｏｆ  Ｏｐｅｒａｔｉｏｎ）」、および２００２年２月１５日出願の米国出願番号１０／０７７，１２３「電力節約機能を有するデュアルモードブルートゥース／無線デバイス（Ｄｕａｌ  Ｍｏｄｅ  Ｂｌｕｅｔｏｏｔｈ／Ｗｉｒｅｌｅｓｓ  Ｄｅｖｉｃｅ  ｗｉｔｈ  Ｐｏｗｅｒ  Ｃｏｎｓｅｒｖａｔｉｏｎ  Ｆｅａｔｕｒｅｓ）」に関連している。
【００１１】
下記の実施例は、第２通信（ＣＯＭＭ２）モジュールがウェークアッププロセスを実行する時間を、第１通信（ＣＯＭＭ１）モジュールが、ＵＷＢ対応ＣＤＭＡ携帯電話などのマルチモードデバイスにおいてウェークアッププロセスを実行する時間に同期させることにより、上記の必要性に対処する。
【００１２】
ＵＷＢ対応ＣＤＭＡ携帯電話において、ＣＯＭＭ２モジュールはＵＷＢモジュールであり、ＣＯＭＭ１モジュールはＣＤＭＡモジュールである。
【００１３】
本発明の１つの局面において、ＣＯＭＭモジュールにより次のスケジュールされたＣＯＭＭウェークアッププロセスを実行する時間が定められる。次のスケジュールされたＣＯＭＭウェークアッププロセスの時間が定められると、次のＵＷＢウェークアッププロセスを、同時にＵＷＢモジュールにより実行されるように同期させることができる。一つの局面においては、次のＣＯＭＭウェークアッププロセスが、次のＵＷＢウェークアッププロセスが実行されるスケジュールよりも前に実行されるようスケジュールされた場合にのみ、次のＵＷＢウェークアッププロセスが次のＣＯＭＭウェークアッププロセスに同期される。例として、次のＣＯＭＭウェークアッププロセスおよび次のＵＷＢウェークアッププロセスを実行する時間は、それぞれ現在のＣＯＭＭ時間および現在のＵＷＢ時間から設定することができる。その後、ＣＯＭＭモジュールが次のＣＯＭＭウェークアッププロセスを実行する時間になると、ＵＷＢモジュールもＵＷＢウェークアッププロセスを実行する。このように、ＣＯＭＭおよびＵＷＢウェークアッププロセスは実質的に同時に実行されることができ、これは各ウェークアッププロセスを個別に実行されることによりＵＷＢ対応デバイスが消費している電力を大幅に低減することになる。
【００１４】
他の局面においては、次のＵＷＢウェークアッププロセスを次のＣＯＭＭウェークアッププロセスに同期させるための無線携帯ユニットが、次のスケジュールされた時間にＣＯＭＭウェークアッププロセスを実行するように構成されたＣＯＭＭモジュールを備えて成ることができる。無線携帯ユニットは更に、次のＵＷＢウェークアッププロセスの時間を、次のＣＯＭＭウェークアッププロセスの時間に同期させるように構成されたプロセッサを備えることもできる。更に、ＣＯＭＭモジュールが次のスケジュールされたＣＯＭＭウェークアッププロセスを実行するときに、無線携帯ユニットは、実質的に同時にＵＷＢウェークアッププロセスを実行するように構成されたＵＷＢモジュールを備えることもできる。
【発明を実施するための最良の形態】
【００１５】
本発明は、マルチモードデバイスにおいて電力消費を低減することを目的とする。本発明は特定の実施態様に関して説明されるが、本明細書に添付の特許請求の範囲で定義されるような本発明の原理は、本明細書に記載された説明の実施態様に限定されることなく適用され得ることは明らかである。また、本発明の発明的局面を不明瞭にしないために、詳細を省いている場合がある。本出願において記載されていない特定の詳細は、当該技術分野における通常の熟練者には理解され得る。
【００１６】
本出願における図面およびそれに付随する詳細な説明は、本発明の実施形態を例示することのみを目的とする。本発明の原理を用いる本発明のその他の実施態様は、簡潔性を保つため、本出願において具体的には説明されず、また本図面により具体的に示されてはいない。本明細書において、「典型的」という用語は、「例、事例、または例示となり得る」ことのみを意味する。「典型的」として説明されるいかなる実施態様も、必ずしも他の実施態様より好ましいあるいは有用であると解釈される必要はない。
【００１７】
一実施形態において、ＵＷＢ対応デバイスのＵＷＢコンポーネントは、該ＵＷＢ対応デバイスが他のＵＷＢ対応デバイスとアクティブに通信を行っていない場合、つまりＵＷＢネットワークに加わっていない場合、スタンバイモードとなる。スタンバイモードでは、ＵＷＢコンポーネントは、他のＵＷＢ対応デバイスを求めて周囲の環境を走査するウェークアッププロセスを定期的に実行することにより、他のＵＷＢ対応デバイスを探す。ＵＷＢコンポーネントは、走査プロセス中に他のＵＷＢ対応デバイスを検出し、接続が必要であると判断した場合、電話とそのような他のデバイスとの間に短距離の無線接続を確立するために、あるプロトコルを実行することができる。それ以外の場合は、次のウェークアッププロセスまで走査タスクは停止される。
【００１８】
例えば、ＵＷＢ対応ＣＤＭＡ携帯電話（以下「電話」）においては、ウェークアップ、走査、停止のスタンバイサイクルは、一般的にスタンバイ期間の間１．２８秒毎に１回、２回または４回繰り返される。しかし、サイクルのタイミングおよびパターンは、例えばプロセスが１．２８秒間に継続的に実行される必要がある、または１．２８秒毎に１６回プロセスを繰り返すなど、ＵＷＢの仕様により変化する場合があることが理解される。更に、ＵＷＢの仕様によっては、例えば最低でも１．２８秒毎、２．５６秒毎、または特定の仕様によって要求される他のいかなる間隔毎に１回、ＵＷＢウェークアッププロセスが繰り返されることが必要とされる場合がある。
【００１９】
上述したように、ＵＷＢ対応ＣＤＭＡ電話のＵＷＢコンポーネントが他のＵＷＢ対応デバイスを走査する間、当該電話のＣＤＭＡコンポーネントはＣＤＭＡ関連タスクを実行する。ＣＤＭＡは電話と基地局との間の正確な時間同期を必要とするため、ＣＤＭＡコンポーネントが実行しなければならないタスクの１つは、基地局と同期させることである。アイドルモード時に基地局と同期させるために、ＣＤＭＡコンポーネントは、基地局からのパイロット信号をＣＤＭＡページングチャネルで受信し処理するために割り当てられたタイムスロット中に、定期的に「ウェークアップ」する。ＣＤＭＡコンポーネントは、パイロット信号を処理することによって基地局と同期することができる。例えば、パイロット信号に組み込まれた情報から、システム時間を決定することができる。
【００２０】
ＣＤＭＡコンポーネントがどれ程の頻度でウェークアップするかは、スロットサイクルインデックスに左右されるが、これは当技術分野では周知のように、電話または基地局により設定することができる。スロットサイクルインデックスがゼロである場合は、ＣＤＭＡコンポーネントは１．２８秒毎にウェークアッププロセスを実行する、つまり割り当てられたタイムスロットがおおよそ１．２８秒毎となる。あるいは、スロットサイクルインデックスが、例えば１（ウェークアッププロセスが２．５６秒毎に実行される）または２（ウェークアッププロセスが５．１２秒毎に実行される）に設定されることができる。このように、スロットサイクルインデックスが低いほど、繰り返されるウェークアッププロセスの頻度が高くなり、また消費電力が大きくなる。
【００２１】
ウェークアップして他のＵＷＢ対応デバイスを走査した後シャットダウンするＵＷＢコンポーネントか、ウェークアップして基地局と同期した後シャットダウンするＣＯＭＭコンポーネントかに関わらず、電力は消費される。更に、プロセスのそれぞれが繰り返し実行されるため、消費電力量により電話の電源が急速に消耗されるおそれがある。このように、ＵＷＢ対応デバイスの様々なコンポーネントにより消費される電力量を低減するための方法および関連するシステムは、ＵＷＢコンポーネント、およびＣＤＭＡコンポーネントなどのいかなる通信コンポーネントとの同期を一部利用することがある。
【００２２】
図１に、本発明の一実施形態に従う典型的な無線通信システムを示す。図１は、ＣＯＭＭ１モジュール１４４およびＣＯＭＭ２モジュール１４２を有する無線携帯ユニット１４０を示す。ＣＯＭＭ１モジュールはＣＯＭＭ１基地局１８０と通信し、ＣＯＭＭ２モジュールはＣＯＭＭ２デバイス１１０と通信する。例として、ＣＯＭＭ１モジュール１４４はＣＤＭＡモジュールであってもよく、またＣＯＭＭ２モジュール１４２はＵＷＢモジュールであってもよい。
【００２３】
図１に示される典型的な無線通信システム１００は、例えば、符号分割多重アクセス（以下「ＣＤＭＡ」）通信システムの一部を備えることができる。ＣＤＭＡ通信システムの一般的原理、特に、通信チャネルを介した伝送のためのスペクトル拡散信号の生成の一般的原理は、本発明の譲受人に譲渡された米国特許４，９０１，３０７「衛星リピーターまたは地上リピーターを用いたスペクトル拡散多重アクセス通信システム（Ｓｐｒｅａｄ  Ｓｐｅｃｔｒｕｍ  Ｍｕｌｔｉｐｌｅ  Ａｃｃｅｓｓ  Ｃｏｍｍｕｎｉｃａｔｉｏｎ  Ｓｙｓｔｅｍ  Ｕｓｉｎｇ  Ｓａｔｅｌｌｉｔｅ  ｏｒ  Ｔｅｒｒｅｓｔｒｉａｌ  Ｒｅｐｅａｔｅｒｓ）」（特許文献１）に記載されている。当該特許、つまり米国特許４，９０１，３０７の開示内容は、参照することにより本出願にその全体が組み込まれる。また、本発明の譲受人に譲渡された米国特許５，１０３，４５９「ＣＤＭＡ携帯電話システムにおける信号波形を生成するためのシステムおよび方法（Ｓｙｓｔｅｍ  ａｎｄ  Ｍｅｔｈｏｄ  ｆｏｒ  Ｇｅｎｅｒａｔｉｎｇ  Ｓｉｇｎａｌ  Ｗａｖｅｆｏｒｍｓ  ｉｎ  ａ  ＣＤＭＡ  Ｃｅｌｌｕｌａｒ  Ｔｅｌｅｐｈｏｎｅ  Ｓｙｓｔｅｍ）」（特許文献２）は、ＰＮ拡散、ウォルシュカバー（Ｗａｌｓｈ  ｃｏｖｅｒｉｎｇ）、およびＣＤＭＡスペクトル拡散通信信号の生成技術に関する原理を開示している。当該特許、つまり米国特許５，１０３，４５９の開示内容も、参照することにより本出願にその全体が組み込まれる。更に本発明は、データの時分割多重化、および「高データレート」通信システムに関する様々な原理を利用しており、また本発明は、本発明の譲受人に譲渡された、１９９７年１１月３日出願の米国特許出願「高速パケットデータ伝送のための方法および装置（Ｍｅｔｈｏｄ  ａｎｄ  Ａｐｐａｒａｔｕｓ  ｆｏｒ  Ｈｉｇｈ  Ｒａｔｅ  Ｐａｃｋｅｔ  Ｄａｔａ  Ｔｒａｎｓｍｉｓｓｉｏｎ）」（出願番号０８／９６３，３８６）（特許文献３）にあるような、「高データレート」通信システムに使用できる。当該特許出願における開示内容も、参照することにより本出願にその全体が組み込まれる。
【００２４】
図１に示すように、本発明の典型的な無線通信システム１００は、ＵＷＢデバイス１１０と、無線携帯ユニット１４０と、ＣＤＭＡ基地局１８０とを備える。ＵＷＢデバイス１１０はいかなるＵＷＢ対応デバイスであってもよく、例えば、ＵＷＢコンポーネントを備えたノートパソコンであってもよい。ＵＷＢデバイス１１０は、送信機／受信機１１２およびアンテナ１１４を利用して他のＵＷＢ対応デバイスと通信するように構成される。
【００２５】
引き続き図１において、無線通信システム１００の無線携帯ユニット１４０は、例えば本実施形態におけるＵＷＢ対応ＣＤＭＡ携帯電話であってよい。そのようにして、無線携帯ユニット１４０は、ＵＷＢコンポーネントおよびＣＤＭＡコンポーネントの双方を、つまりＵＷＢモジュール１４２およびＣＤＭＡモジュール１４４を備える。本発明によれば、ＵＷＢモジュール１４２およびＣＤＭＡモジュール１４４は、スタンバイモードにおけるＵＷＢモジュール１４２のウェークアップ／スリープサイクルと、アイドルモードにおけるＣＤＭＡモジュール１４４のウェークアップ／アイドルサイクルとを監視し指示するよう構成されることが可能なプロセッサ１４６を共有する。更に、図示するように、無線携帯ユニット１４０は、ＵＷＢモジュール１４２およびＣＤＭＡモジュール１４４に共通の時刻源を提供するよう構成可能なクロック基準１６０を備える。
【００２６】
上述したように、ＵＷＢ対応デバイスがＵＷＢネットワークでアクティブに通信を行っていない場合、当該デバイスのＵＷＢコンポーネントはスタンバイモードとなり、他のＵＷＢ対応デバイスを求めて走査するために定期的に「ウェークアップ」する。更に、ウェークアッププロセス中、ＵＷＢコンポーネントは、検出したＵＷＢ対応デバイスとの接続を確立する必要があるかを決定する。他のＵＷＢ対応デバイスを求める周囲の環境の走査は、当技術分野で周知の方法で行われ、これには例えばパイロット信号の伝送、受信、および処理が含まれてもよい。ＵＷＢモジュール１４２によるウェークアップ、走査、そして続くシャットダウンのプロセスはまた、本出願において「ＵＷＢウェークアッププロセス」とも呼ばれることに留意されたい。
【００２７】
図１を再度参照すると、ＵＷＢモジュール１４２は、ＵＷＢアンテナ１５０に連結されるＵＷＢ送信機／受信機１４８を備える。スタンバイモード時、ＵＷＢモジュール１４２は、ＵＷＢ送信機／受信機１４８およびＵＷＢアンテナ１５０を利用し、他のＵＷＢ対応デバイス、例えばＵＷＢデバイス１１０を求めて環境を走査することができる。本実施形態では、ＵＷＢモジュール１４２は１．２８秒毎にＵＷＢウェークアッププロセスを２回実行するように構成される。しかし他の間隔、例えば、１．２８秒毎、０．３２秒毎、または０．１６秒毎にＵＷＢウェークアッププロセスを実行するようにＵＷＢモジュール１４２を構成することができることは、当業者によって理解されよう。一部のＵＷＢ仕様では、例えば、最低でも１．２８秒毎、２．５６秒毎、または特定のＵＷＢ仕様によって要求される他の間隔毎に１回、ＵＷＢウェークアッププロセスを実行するように、ＵＷＢモジュール１４２を構成する必要がある場合がある点が更に理解されよう。図１に示すように、ＵＷＢデバイス１１０とＵＷＢモジュール１４２は、それぞれの送信機／受信機とアンテナ素子を使用し、ＵＷＢエアーリンク１１６を介して互いに通信することができる。
【００２８】
ＵＷＢモジュール１４２は更にクロック１５８を備える。一実施形態では、クロック１５８は、ＵＷＢモジュール１４２の内部クロックである。クロック１５８は例えば、現在のＵＷＢ時間を追跡し、プロセッサ１４６に現在のＵＷＢ時間を伝達する２８ビットカウンタとなることができる。現在のＵＷＢ時間はまた、本出願では「ＵＷＢｃｕｒｒｅｎｔ」とも呼ばれることに留意されたい。
【００２９】
更に図１では、無線携帯ユニット１４０のＣＤＭＡモジュール１４４は、ＣＤＭＡアンテナ１５４に連結されるＣＤＭＡ送信機／受信機１５２を備える。ＣＤＭＡモジュール１４４は、ＣＤＭＡ送信機／受信機１５２およびＣＤＭＡアンテナ１５４を利用し、ＣＤＭＡネットワークにおいて通信を行うが、更に詳しくは、ＣＤＭＡエアーリンク１８４を介してＣＤＭＡ基地局１８０と通信する。ＣＤＭＡモジュール１４４は、ＣＤＭＡ送信機／受信機１５２およびＣＤＭＡアンテナ１５４を利用することで、ＣＤＭＡ基地局１８０と通信を行い信号を送受信する。同時に、ＣＤＭＡ基地局１８０は、基地局アンテナ１８２を利用しＣＤＭＡモジュール１４４から信号を受信し、かつＣＤＭＡモジュール１４４へ信号を送信する。ＣＤＭＡモジュール１４４とＣＤＭＡ基地局１８０間の通信は、当技術分野で周知の方法で行われる。
【００３０】
無線携帯ユニット１４０がＣＤＭＡネットワークとアクティブに通信を行っていない場合、ＣＤＭＡモジュール１４４はアイドルモードとなる。ＣＤＭＡモジュール１４４は、ＣＤＭＡシステム時間と同期を取るタスクを含め、アイドルモード中は複数のタスクを行う。当技術分野で周知のように、ＣＤＭＡネットワークにおける通信の堅牢性は、携帯ユニット、基地局、基地局コントローラなどを含め、ＣＤＭＡネットワーク内の各コンポーネントの時刻同期に一部依存する。
【００３１】
ＣＤＭＡシステム時間と同期を取るためには、ＣＤＭＡモジュール１４４は送信機／受信機１５２とＣＤＭＡアンテナ１５４を利用し、ＣＤＭＡ基地局１８０から送信されるパイロット信号を受信する。受信したパイロット信号が処理され、かつパイロット信号に含まれるデータによって現在のＣＤＭＡシステム時間が決定される。ＣＤＭＡモジュール１４４によるパイロット信号の処理と、その信号に基づいた現在のＣＤＭＡシステム時間の決定は、当技術分野で周知の方法で行われる。本実施形態では、本出願においてＣＤＭＡｃｕｒｒｅｎｔとも呼ばれるＣＤＭＡモジュール１４４の「現在の」時間は、パイロット信号から取得したＣＤＭＡシステム時間に設定される。一実施形態では、クロック基準１６０は、ＣＤＭＡモジュール１４４とＵＷＢモジュール１４２に対し、この二つのモジュールの「現在の」時間、すなわちＵＷＢｃｕｒｒｅｎｔとＣＤＭＡｃｕｒｒｅｎｔが同じとなるように共通の時刻源を提供する。別の実施形態では、クロック基準１６０は、ＣＤＭＡモジュール１４４とＵＷＢモジュール１４２に共通クロックを提供するが、ＵＷＢｃｕｒｒｅｎｔとＣＤＭＡｃｕｒｒｅｎｔの絶対値は異なっていてよい。ＵＷＢｃｕｒｒｅｎｔが一旦確定すると、プロセッサ１４６に伝達される。ＣＤＭＡモジュール１４４によって実行される、ウェークアップ、基地局１８０との同期化、そして続くシャットダウンのプロセスは、本出願において「ＣＤＭＡウェークアッププロセス」とも呼ばれることに留意されたい。
【００３２】
ＣＤＭＡコンポーネントがどれ程の頻度でウェークアップするかは、当技術分野で周知の方法によって、電話または基地局により設定することができるスロットサイクルインデックス（「ＳＣＩ」）に左右される。例えば、ＣＤＭＡモジュールのＳＣＩがゼロの場合、ＣＤＭＡモジュール１４４は、１．２８秒毎にＣＤＭＡウェークアッププロセスを実行する。あるいは、ＳＣＩは、例えば１に設定することができるが、その場合ＣＤＭＡウェークアッププロセスは２．５６秒毎に実行され、また、ＳＣＩは２に設定することができるが、その場合ＣＤＭＡウェークアッププロセスは５．１２秒毎に実行される。ＳＣＩが低いほど、ＣＤＭＡモジュール１４４はＣＤＭＡウェークアッププロセスを頻繁に実行することに留意されたい。本実施形態では、ＣＤＭＡモジュール１４４のＳＣＩはゼロに設定されている、すなわちＣＤＭＡモジュール１４４は１．２８秒毎にＣＤＭＡウェークアッププロセスを実行するよう設定されている。
【００３３】
更に図１では、ＵＷＢモジュール１４２のウェークアップスケジュールとＣＤＭＡモジュール１４４のウェークアップスケジュールを同期させるために、プロセッサ１４６は、クロック１５８から受信した情報、すなわちＵＷＢｃｕｒｒｅｎｔと、ＣＤＭＡモジュール１４４から受信した情報、すなわちＣＤＭＡｃｕｒｒｅｎｔを使用する。本実施形態では、二つのウェークアップスケジュールを同期させるために、プロセッサ１４６は、ＵＷＢモジュール１４２とＣＤＭＡモジュール１４４の両方に対して次のウェークアッププロセスがスケジュールされるまで、どれくらいの時間が残っているかを決定しなければならない。以降、次のスケジュールされたウェークアッププロセスの各時間は、ＵＷＢモジュール１４２の場合ＵＷＢｎｅｘｔ、またＣＤＭＡモジュール１４４の場合ＣＤＭＡｎｅｘｔと呼ばれる。
【００３４】
プロセッサ１４６は、ＵＷＢウェークアッププロセスとＣＤＭＡウェークアッププロセスがそれぞれどれ程の頻度で実行されるかの設定に基づき、ＵＷＢｎｅｘｔとＣＤＭＡｎｅｘｔを決定するよう構成され得る。上記で述べたように、ＵＷＢモジュール１４２は、例えば、０．６４秒毎に一回など、異なる間隔または頻度でＵＷＢウェークアッププロセスを実行するように設定されることができ、またＣＤＭＡモジュール１４４は、ＳＣＩに応じて、１．２８秒毎、２．５６秒毎、または５．１２秒毎にＣＤＭＡウェークアッププロセスを実行するように設定されることができる。そのため、プロセッサ１４６は、ＵＷＢモジュール１４２が最後にＵＷＢウェークアッププロセスを実行した時間を監視し、その後、ＵＷＢウェークアッププロセスが次に実行される時間を計算することでＵＷＢｎｅｘｔを決定することができる。そのため、実例として、例えばプロセッサ１４６は、ＵＷＢモジュール１４２が時間ＴにおいてＵＷＢウェークアッププロセスを最後に実行し、かつＵＷＢモジュール１４２が、０．６４秒毎にＵＷＢウェークアッププロセスを実行するように設定されていると判断した場合、プロセッサ１４６は、ＵＷＢｎｅｘｔをＴと０．６４秒を足した時間として算出することができる。同様に、プロセッサ１４６は、ＣＤＭＡモジュール１４４が時間ＹにおいてＣＤＭＡウェークアッププロセスを最後に実行し、かつＣＤＭＡモジュール１４４が、１．２８秒毎にＣＤＭＡウェークアッププロセスを実行するように設定されている、すなわちＳＣＩがゼロに設定されていると判断した場合、プロセッサ１４６は、ＣＤＭＡｎｅｘｔをＹと１．２８秒を足した時間として算出することができる。
【００３５】
上記で説明した方法で、次のスケジュールされたウェークアッププロセス時間が一旦確定すると、次のスケジュールされたウェークアッププロセスまでに残っている時間は、現在の時間と次のスケジュールされたウェークアッププロセスの時間との時間差を計算することで決定することができる。その結果、プロセッサ１４６は、次のスケジュールされたＣＤＭＡウェークアッププロセスまでに残っている時間を、ＣＤＭＡｎｅｘｔからＣＤＭＡｃｕｒｒｅｎｔを引いた時間として決定することができる。本出願において、次のスケジュールされたＣＤＭＡウェークアッププロセスまでに残っている時間は、ＣＤＭＡｉｎｔｅｒｖａｌとも呼ばれる。
【００３６】
更に図１では、プロセッサ１４６は、次のＣＤＭＡウェークアッププロセスが実行される時間に関連して、次のＵＷＢウェークアッププロセスが実行される時間を決定することで、ＵＷＢモジュール１４２のウェークアップスケジュールと、ＣＤＭＡモジュール１４４のウェークアップスケジュールを同期させる。プロセッサ１４６は、次のＵＷＢウェークアッププロセスが、次のＣＤＭＡウェークアッププロセスより後に実行するようスケジュールされていると判断した場合、プロセッサ１４６は、ＣＤＭＡモジュール１４４が次のＣＤＭＡウェークアッププロセスを実行すると同時に、ＵＷＢモジュール１４２が次のＵＷＢウェークアッププロセスを実行するように、ＵＷＢモジュール１４２のウェークアップスケジュールを先に進める。すなわち、プロセッサ１４６は、ＵＷＢモジュール１４２がＵＷＢｎｅｘｔまで待機するのではなく、ＣＤＭＡｎｅｘｔの時点で次のＵＷＢウェークアッププロセスを実行するように作動させることができる。そのため、次のＵＷＢウェークアッププロセスは、次のＣＤＭＡウェークアッププロセスと同期する。次のＵＷＢウェークアッププロセスの「新しい」時間または「同期」時間は、本出願においてＵＷＢｎｅｗとも呼ばれることに留意されたい。ＵＷＢモジュール１４２のウェークアップスケジュールと、ＣＤＭＡモジュール１４４のウェークアップスケジュールを同期させるタスクは、ソフトウエアまたは、無線携帯ユニット１４０のプロセッサ１４６内のハードウエアによって実行され得る。
【００３７】
二つのウェークアップスケジュールを同期させることで、無線携帯ユニット１４０の電力消費量が低減される。単一モジュールをウェークアップさせることは、プロセッサ機能のごく一部しか使用しないため、ＵＷＢモジュール１４２とＣＤＭＡモジュールを別々に作動させると、プロセッサ機能と電力消費を浪費する結果となる。ＵＷＢモジュール１４２とＣＤＭＡモジュール１４４がそれぞれのウェークアッププロセスを実行する時に、これらのモジュールを別々に作動させるために必要な電力は、二つのモジュールを同時に作動させることで共有することができる。そのため、プロセッサ機能がより実用的になり、より少ない電力が消費される。  非同期のウェークアップスケジュールに関連する電力消費量を低減するために、ＵＷＢネットワークとＣＤＭＡネットワークの両方で通信を行うように構成された無線携帯ユニットが、ＵＷＢモジュールとＣＤＭＡモジュールのウェークアップスケジュールと同期する典型的な無線通信システムを図１に示す。
【００３８】
図１に示すＣＯＭＭ１モジュール１４４とＣＯＭＭ２モジュール１４２は、当技術分野で周知のあらゆる通信モジュールとなり得ることは、当業者には明らかである。
【００３９】
図２において、グラフ２００、２４０、および２７０は、一実施形態に従って、ＵＷＢモジュールのウェークアップスケジュールと、図１の無線携帯ユニット１４０に含まれるＣＤＭＡモジュールなどの第１通信モジュール（ＣＯＭＭ１）のウェークアップスケジュールを同期させた結果を示す。このため、グラフ２００、２４０、および２７０の説明を円滑にするために、無線携帯ユニット１４０について言及する。
【００４０】
グラフ２００に、無線携帯ユニットのＣＯＭＭ１モジュール、例えば、無線携帯ユニット１４０のＣＤＭＡモジュール１４４に対するウェークアップスケジュールの時間系列を示す。グラフ２００において、軸２０２は、ＣＯＭＭ１モジュール１４４のオン／オフ状態を示し、軸２０４は時間に対応する。上記で説明したように、基地局より受信されたパイロット信号から取得することのできる現在のＣＯＭＭ１システム時間は、ＣＯＭＭ１ｃｕｒｒｅｎｔ時間２０６として示される。ＣＤＭＡモジュール１４４は、ＣＯＭＭ１ｃｕｒｒｅｎｔ時間２０６においてアイドルモードであり、ＣＯＭＭ１ウェークアッププロセスを実行しておらず、つまりＣＤＭＡモジュール１４４は「オフ」である。しかし、ＣＯＭＭ１ｎｅｘｔ時間２０８において、ＣＯＭＭ１モジュール２４４が作動し、ＣＯＭＭ１ウェークアッププロセス２１４を開始する。ＣＯＭＭ１ｃｕｒｒｅｎｔ時間２０６とＣＯＭＭ１ｎｅｘｔ時間２０８の時間間隔は、間隔２１０としてグラフ２００に示される。したがって、間隔２１０は、現在のＣＯＭＭ１時間から次のＣＯＭＭ１ウェークアッププロセスが実行される時間までの期間を表す。間隔２１２は、ＣＯＭＭ１ウェークアッププロセス２１４の開始から、ＣＯＭＭ１ウェークアッププロセス２１６の開始までの時間を表す。期間２１２は、例えば１．２８秒とすることができ、これは、ＣＤＭＡモジュール１４４が１．２８秒毎にＣＯＭＭ１ウェークアッププロセスを実行するように設定されていることを意味する。つまり、ＣＤＭＡモジュール１４４のＳＣＩはゼロに設定されている。
【００４１】
図２のグラフ２４０を参照し、ＣＯＭＭ１モジュールのウェークアップスケジュールと同期する前に存在する、無線携帯ユニットのＵＷＢモジュール、例えば、無線携帯ユニット１４０のＵＷＢモジュール１４２に対するウェークアップスケジュールの時間系列を示す。グラフ２４０において、軸２４２は、ＵＷＢモジュール１４２のオン／オフ状態を示し、一方、軸２４４は時間に対応する。ＵＷＢｃｕｒｒｅｎｔ時間２４６において、ＵＷＢモジュール１４２は「オフ」であり、ＵＷＢウェークアッププロセスを実行していないことが分かる。しかし、ＵＷＢｎｅｘｔ時間２４８において、ＵＷＢモジュール１４２が作動し、ＵＷＢウェークアッププロセス２５０を開始する。ＵＷＢｃｕｒｒｅｎｔ時間２４６からＵＷＢｎｅｘｔ時間２４８までの時間間隔は、間隔２５２によって表される。このため間隔２５２は、現在のＵＷＢ時間から、次のスケジュールされたＵＷＢウェークアッププロセス、すなわち、ＵＷＢウェークアッププロセス２５０までの時間の長さとなる。ＵＷＢｎｅｘｔ時間２４８に続く間隔２５４と等しい経過時間の後に、ＵＷＢモジュール１４２は、ＵＷＢウェークアッププロセス２５６を実行し、更に、間隔２５８と等しい別の経過時間の後に、ＵＷＢモジュール１４２はＵＷＢウェークアッププロセス２６０を実行する。本実施形態において、ＵＷＢモジュール１４２は０．６４秒毎にＵＷＢウェークアッププロセスを実行するように設定することができる。従って、間隔２５２、２５４、および２５８は、それぞれ０．６４秒に等しい。しかし、別の間隔または頻度において、例えば、１．２８秒または０．３２秒毎に一回、ＵＷＢモジュール１４２がＵＷＢウェークアッププロセスを実行するように設定できることが、当業者により理解されよう。
【００４２】
図２のグラフ２００と２４０を比較し、間隔２５２は間隔２１０より大きいことが分かる。つまり、次のＵＷＢウェークアッププロセス、すなわち、ＵＷＢウェークアッププロセス２５０が実行されるようスケジュールされる前の時間の長さは、次のＣＯＭＭ１ウェークアッププロセス、すなわち、ＣＯＭＭ１ウェークアッププロセス２１４が実行されるようスケジュールされる前の時間の長さよりも長い。ＵＷＢモジュール１４２とＣＤＭＡモジュール１４４は、ウェークアッププロセスを実行するために別々に作動しなければならないため、次のウェークアッププロセスが実行されるようにスケジュールされた時の時間差は、無線携帯ユニット１４０の電源を大幅に消費する結果となり得る。
【００４３】
グラフ２７０を参照し、ＵＷＢモジュール１４２のウェークアップスケジュールに対する同期化後時間系列を示す。グラフ２７０において、軸２７２は、ＵＷＢモジュール１４２のオン／オフ状態を示し、軸２７４は時間に対応する。更に、グラフ２７０のＵＷＢｃｕｒｒｅｎｔ時間２７６は、グラフ２４０のＵＷＢｃｕｒｒｅｎｔ時間２４６と同じであり、これは「現在の」ＵＷＢ時間が二つのグラフにおいて同じことを意味する。しかし、グラフ２７０に示すように、次のスケジュールされたＵＷＢウェークアッププロセス、すなわち、ＵＷＢウェークアッププロセス２８０は、同期の結果として「再スケジュール」され、ＵＷＢｎｅｗ時間２７８において実行するように設定される。このため、グラフ２４０で示されるＵＷＢｎｅｗ時間２４８において、ＵＷＢモジュール１４２に次のＵＷＢウェークアッププロセスを実行させるのではなく、ＵＷＢモジュール１４２のウェークアップスケジュールを、ＣＤＭＡモジュール１４４のウェークアップスケジュールに同期させた結果は、次のＵＷＢウェークアッププロセスが、次のＣＯＭＭ１ウェークアッププロセスと同時に実行されるように、次のＵＷＢウェークプロセスを一時的にシフトさせることになる。更に詳しくは、同期化は、グラフ２７０の間隔２８２とグラフ２００の間隔２１０を等化にする結果となり、ＵＷＢｎｅｗ時間２７８とＣＯＭＭ１ｎｅｘｔ時間２０８においてそれぞれ、ＵＷＢウェークアッププロセス２８０とＣＯＭＭ１ウェークアッププロセス２１４の同時実行をもたらす。ＵＷＢウェークアッププロセス２８０とＣＯＭＭ１ウェークアッププロセス２１４との同期化は、それぞれのモジュールのウェークアッププロセスを実行するために、ＵＷＢモジュール１４２とＣＤＭＡモジュール１４４に同時に電源が入ることが可能なことを意味し、無線携帯ユニット１４０による電力消費量の大幅な低減がもたらされる。
【００４４】
更にグラフ２７０では、間隔２８４と等しい時間が経過した後、ＵＷＢウェークアッププロセス２８６はＵＷＢウェークアッププロセス２８０の後に続き、また、間隔２８８と等しい時間が更に経過した後、ＵＷＢウェークアッププロセス２９０が続く。ＵＷＢウェークアッププロセス２８６および２９０は、グラフ２４０のＵＷＢウェークアッププロセス２５６および２６０と等しく、ＵＷＢウェークアッププロセス２８０とＣＯＭＭ１ウェークアッププロセス２１４が同期した結果として、ＵＷＢウェークアッププロセス２５６および２６０は前方向に移動していることに留意されたい。図２のグラフ２００、２４０、および２７０は、無線携帯ユニット１４０にて、ＵＷＢモジュール１４２とＣＤＭＡモジュール１４４とのウェークアップスケジュールを同期させた結果を示しており、無線携帯ユニット１４０によって消費される電力量を低減させる結果となっている。
【００４５】
一実施形態に従って、無線携帯ユニットにおけるＵＷＢモジュールなどのＣＯＭＭ２モジュールと、ＣＯＭＭ１モジュールとのウェークアップスケジュールの同期化を行うための典型的なプロセスを説明したフローチャート３００を図３に示す。更に詳しくは、例えばＵＷＢモジュール１４２などのＣＯＭＭ２コンポーネントとＣＤＭＡモジュール１４４などのＣＯＭＭ１コンポーネントとの両方を備える、図１の無線携帯ユニット１４０などの無線携帯ユニットによって、フローチャート３００に示すプロセスを実行することができる。そのため、説明を目的として、フローチャート３００に示すプロセスは、図１の無線携帯ユニット１４０と関連して説明される。
【００４６】
更に図３において、無線携帯ユニットにおけるＵＷＢモジュールとＣＯＭＭ１モジュールのウェークアップスケジュールの同期化を行うプロセスは、例えば、無線携帯ユニット１４０がＵＷＢネットワークまたはＣＤＭＡネットワークで通信を行っていない時にステップ３１０で開始する。つまり、ＵＷＢモジュール１４２がスタンバイモードで、ＣＤＭＡモジュール１４４がアイドルの時にプロセスは開始する。ステップ３１２において、現在のＵＷＢ時間と現在のＣＯＭＭ１時間が決定される。例えば、現在のＵＷＢ時間、すなわちＵＷＢｃｕｒｒｅｎｔは、現在のＵＷＢ時間を追跡するＵＷＢモジュール１４２の内部クロックによって決定することができる。現在のＣＯＭＭ１時間またはＣＯＭＭ１ｃｕｒｒｅｎｔは、例えば、基地局によって送信されＣＤＭＡモジュール１４４によって受信されるパイロット信号に含まれるデータから決定することができる。一実施形態では、クロック基準１６０は、ＣＤＭＡモジュール１４４とＵＷＢモジュール１４２に対し、この二つのモジュールの「現在の」時間、すなわちＵＷＢｃｕｒｒｅｎｔとＣＤＭＡｃｕｒｒｅｎｔが同じとなるように共通の時刻源を提供する。またステップ３１２では更に処理を行うために、ＵＷＢｃｕｒｒｅｎｔとＣＤＭＡｃｕｒｒｅｎｔは、図１の無線携帯ユニット１４０のプロセッサ１４６などのプロセッサに伝達される。
【００４７】
更に図３のフローチャート３００において、無線携帯ユニットのＵＷＢモジュールとＣＯＭＭ１モジュールのウェークアップスケジュールを同期させるプロセスのステップ３１４では、次のスケジュールされたＵＷＢウェークアッププロセスの時間、および次のスケジュールされたＣＯＭＭ１ウェークアッププロセスの時間が定められる。前記次のスケジュールされたＵＷＢウェークアッププロセスの時間ＵＷＢｎｅｘｔは、先行するＵＷＢウェークアッププロセスがＵＷＢモジュール１４２により実行された時間に基いて決定される。またＵＷＢｎｅｘｔは、１．２８秒毎、０．６４秒毎、または０．３２秒毎など、どれ程の頻度でＵＷＢウェークアッププロセスが実行されるかの関数である。一実施形態では、プロセッサ１４６は、先行するＵＷＢウェークアッププロセスの時間を監視し、どれ程の頻度でＵＷＢウェークアッププロセスが実行されるように設定されているかに依存して、例えば１．２８秒、０．６４秒、または０．３２秒などを最後のＵＷＢウェークアッププロセスの時間に加算することにより、ＵＷＢｎｅｘｔを計算する。次に、ＣＯＭＭ１ｎｅｘｔも同様に計算される。すなわち、プロセッサ１４６は、最後のＣＯＭＭ１ウェークアッププロセスの時間を監視し、次にＣＯＭＭ１ｎｅｘｔを計算するために、ＣＤＭＡモジュール１４４に設定されているＳＣＩに依存して、例えば１．２８秒、２．５６秒、または５．１２秒などを最後のＣＯＭＭ１ウェークアッププロセスの時間に加算することができる。
【００４８】
更にフローチャート３００において、ステップ３１６で、ＣＯＭＭ１ｎｅｘｔとＣＯＭＭ１ｃｕｒｒｅｎｔとの間隔に、ＵＷＢｃｕｒｒｅｎｔを加えた和が、ＵＷＢｎｅｘｔより大きいかどうかが判断される。ＣＯＭＭ１ｎｅｘｔとＣＯＭＭ１ｃｕｒｒｅｎｔとの間隔に、ＵＷＢｃｕｒｒｅｎｔを加えた和が、ＵＷＢｎｅｘｔよりも大きいと判断された場合は、次のＵＷＢウェークアッププロセスがＵＷＢモジュール１４２により実行されるようスケジュールされた後に、次のＣＯＭＭ１ウェークアッププロセスがＣＤＭＡモジュール１４４により実行されるようスケジュールされることを示す。そのような場合、無線携帯ユニットのＵＷＢモジュールと、ＣＯＭＭ１モジュールとのウェークアップスケジュールを同期させるプロセスはステップ３１８へ進み、そこで次のＵＷＢウェークアッププロセスの時間（ＵＷＢｎｅｗとも呼ばれる）がＵＷＢｎｅｘｔとして設定される。その後プロセスはステップ３２２へ進む。
【００４９】
ステップ３１６で、逆に、ＣＯＭＭ１ｎｅｘｔとＣＯＭＭ１ｃｕｒｒｅｎｔとの間隔に、ＵＷＢｃｕｒｒｅｎｔを加えた和が、ＵＷＢｎｅｘｔよりも大きくないとプロセッサ１４６が判断した場合、プロセスはステップ３２０へ進む。ステップ３２０では、次のＵＷＢウェークアッププロセスの新たな時間、すなわちＵＷＢｎｅｗは、ＣＯＭＭ１ｎｅｘｔと同期される。つまりＵＷＢｎｅｗがＣＯＭＭ１ｎｅｘとして設定される。つまりステップ３１６で、プロセッサ１４６が、次のＵＷＢウェークアッププロセスの前に次のＣＯＭＭ１ウェークアッププロセスが実行されるようスケジュールされると判断した場合、プロセッサ１４６は、同期することにより次のＵＷＢウェークアッププロセスが次のＣＯＭＭ１ウェークアッププロセスと同時に実行されるよう「再スケジュール」する。
【００５０】
無線携帯ユニットにおいて、ＵＷＢモジュールとＣＯＭＭ１モジュールとのウェークアップスケジュールを同期させるプロセスは、次に、ステップ３２２に進む。ステップ３２２では、ＵＷＢモジュール１４２がＵＷＢウェークアッププロセスを実行し、ＵＷＢｎｅｗに到達する。プロセッサ１４６がステップ３１６において、ＣＯＭＭ１ｎｅｘｔとＣＯＭＭ１ｃｕｒｒｅｎｔとの時間差が、ＵＷＢｎｅｘｔとＵＷＢｃｕｒｒｅｎｔとの時間差よりも大きくないと判断した場合には、ステップ３２０において、ＵＷＢｎｅｗがＣＯＭＭ１ｎｅｘｔに同期されるように、ＣＤＭＡモジュール１４４もまた、ステップ３２２において、ＣＯＭＭ１ウェークアッププロセスを実行するであろうことに留意されたい。このようにして、すなわち、ＵＷＢモジュール１４２とＣＤＭＡモジュール１４４とが、ウェークアッププロセスを同時に実行することによって、これら２つのモジュールを同時に起動できるので、無線携帯ユニット１４０の電力消費を大幅に低減することができる。
【００５１】
ステップ３２２の後、無線携帯ユニットのＵＷＢモジュールとＣＯＭＭ１モジュールのウェークアップスケジュールを同期させるプロセスは、ステップ３１０に戻る。このプロセスは、例えばＵＷＢモジュール１４２がスタンバイモードを終了するかまたはＣＤＭＡモジュール１４４がアイドルモードを終了するまで継続する。
【００５２】
フローチャート３００のステップは、本発明の要旨を逸脱しない範囲で相互交換可能であることが当業者には理解される。図３のフローチャート３００は、一つの実施形態に従って、無線携帯ユニットのＵＷＢモジュールとＣＯＭＭ１モジュールのウェークアップスケジュールを同期させる典型的なプロセスを説明しており、その結果、無線携帯ユニットによる電力消費量が低減される。
【００５３】
情報や信号は、各種の技術および手法のいずれを使用しても表すことができることが当業者には理解されるであろう。例えば、上記説明を通して参照される場合があるデータ、命令、コマンド、情報、信号、ビット、シンボル、およびチップは、電圧、電流、電磁波、磁場または磁性粒子、光場または光粒子、あるいはそれらの任意の組み合わせにより表されてもよい。
【００５４】
更に、本明細書に開示される実施形態に関連して説明される、例示的な論理ブロック、モジュール、回路、およびアルゴリズムステップは、電子ハードウェア、コンピュータソフトウェア、またはそれらの組み合わせとして実装されてよいことも、当業者には理解されるであろう。このハードウェアおよびソフトウェアの交換可能性を明確に示すために、概してその機能性に関して、例示的なコンポーネント、ブロック、モジュール、回路、およびステップを上に説明した。そのような機能性がハードウェアとして実装されるかまたはソフトウェアとして実装されるかは、システム全体に課される特定のアプリケーションや設計の制約に依存する。当技術分野に精通する者であれば、特定のアプリケーションに合わせて様々な方法で前述した機能性を実装することができるが、そのような実装の決定は、本発明の範囲からの逸脱をもたらすと解釈されてはならない。
【００５５】
本明細書に開示される実施形態に関連して説明される、例示的な論理ブロック、モジュール、および回路は、本明細書に記載の機能を実行するよう設計された、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくはその他のプログラム可能論理回路、個別ゲートもしくはトランジスタ論理、個別ハードウェアコンポーネント、またはそれらの任意の組み合わせにより実装または実行されてもよい。汎用プロセッサはマイクロプロセッサであってもよいが、あるいは該プロセッサは、いかなる従来のプロセッサ、コントローラ、マイクロコントローラ、または状態機械であってもよい。プロセッサは、ＤＳＰとマイクロプロセッサの組み合わせ、複数のマイクロプロセッサ、１つ以上のマイクロプロセッサとＤＳＰコアの併用、その他同様の構成など、コンピュータデバイスの組み合わせとして実装されてもよい。
【００５６】
本明細書に開示される実施態様に関連して説明される方法またはアルゴリズムのステップは、直接ハードウェア内、プロセッサにより実行されるソフトウェア内、またはそれらの組み合わせにおいて具現化される。ソフトウェアモジュールはＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、またはその他当技術分野では周知のいかなる形式の記憶媒体にも存在することができる。典型的な記憶媒体は、プロセッサが該記憶媒体から情報を読み出したり、該記憶媒体に情報を書き込むことができるように、該プロセッサに連結される。あるいは、記憶媒体はプロセッサに統合されてもよい。プロセッサおよび記憶媒体は、ＡＳＩＣに存在してもよい。ＡＳＩＣは無線携帯ユニットに存在してもよい。あるいは、プロセッサおよび記憶媒体は、無線携帯ユニットの個別コンポーネントとして存在してもよい。
【００５７】
開示される実施形態の前述の説明は、当業者が本発明を製作するまたは使用することができるように提供されるものである。それらの実施形態の様々な変形は当業者には明らかであり、本明細書に定められる一般原理は、本発明の精神または範囲から逸脱することなく他の実施形態にも適用され得る。このように、本発明は本明細書に示される実施形態に限定されず、開示される原理および新規性と合致する最も広範な範囲を認めることを意図する。
【図面の簡単な説明】
【００５８】
【図１】図１は、本発明の一つの実施例に従った典型的な無線通信システムのブロック図である。
【図２】図２は、ＵＷＢモジュールおよびＣＯＭＭモジュールのウェークアップスケジュールの同期を示す３つのグラフを示す。
【図３】図３は、本発明の一つの実施例に従った無線携帯ユニットにおけるＵＷＢモジュールおよびＣＯＭＭモジュールのウェークアップスケジュールを同期するプロセスのフローチャートである。
【図１】
2007512781.tif 000003
【図２】
2007512781.tif 000004
【図３】
2007512781.tif 000005
【国際調査報告】
2007512781.tif 000006
2007512781.tif 000007
2007512781.tif 000008